(57)【要約】      （修正有）【課題】家庭用機器であって、電気アイロン、毛玉トリマー、ブラシなどの多種多様な機能を相互に切り換えることができるコードの無い手持ち式装置を提供する。【解決手段】ハンドル２の下面に配置したスロット２１と、装置構造１の上面に配置したコネクタを備え、スロット２１内の第１の磁気構造２２と、コネクタ内の第２の磁気構造１２による磁気吸引構造により、装置構造１とハンドル２は取り外し可能に接続され、ハンドル２内にリチウム電池を配置した構成とすることで、発熱構造または電動ブラシ等の駆動構造を有する装置構造１を取り換えて使用することができる。【選択図】図２
2020131011.tif 000002
【特許請求の範囲】
【請求項１】
コードの無い手持ち式装置であって、
装置構造とハンドルを含み、上記装置構造は上記ハンドルと磁気吸引構造によって取り外し可能に接続され、上記ハンドル内にリチウム電池が配置され、上記装置構造に駆動機構が配置されている；
上記磁気吸引構造はスロットとコネクタを含み、上記スロットは上記コネクタとマッチングするように構成されており、上記スロットは上記ハンドルの下面に配置され、上記コネクタは上記装置構造の上面に配置され、上記スロット内に第１の磁気構造が配置され、上記コネクタに第２の磁気構造が配置され、上記第１の磁気構造は上記第２の磁気構造と一致するように構成されている；
上記磁気吸引構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されているコードの無い手持ち式装置。
【請求項２】
コードの無い手持ち式装置であって、
装置構造とハンドルを含み、上記装置構造は上記ハンドルとロック接続構造によって取り外し可能に接続され、上記ハンドル内にリチウム電池が配置され、上記装置構造に駆動機構が配置されている；
上記ロック接続構造はスロットとコネクタを含み、上記スロットは上記コネクタとマッチングするように構成されており、上記スロットは上記ハンドルの下面に配置され、上記コネクタは上記装置構造の上面に配置され、上記スロットの下端は内側に延びて第１のブロックを形成し、上記コネクタの上端は外側に延びて第２のブロックを形成し、上記スロットと上記コネクタは上記第１のブロックと上記第２のブロックによりロータリーロックされている；
上記ロック接続構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されているコードの無い手持ち式装置。
【請求項３】
上記コードの無い手持ち式装置であって、上記装置構造が電気アイロンであり、上記駆動機構が発熱構造である；
上記発熱構造は、上部から下部に向かって順次に固定配置されている上部カバー、中部カバー、プレッシャープレート、セラミック発熱シートと底板を含み、上記上部カバーは円錐形状を有し、上記上部カバーの上端は上方向に延びて上記コネクタを形成し、上記プレッシャープレートの外縁が上記底板に固定的に接続され、上記プレッシャープレートの下面は上記セラミック発熱シートに当接し、上記セラミック発熱シートの下面は上記底板に当接する請求項１又は請求項２の上記コードの無い手持ち式装置。
【請求項４】
上記コードの無い手持ち式装置であって、上記底板の上に底板スロットが配置されており、上記セラミック発熱シートと上記プレッシャープレートは上記底板スロット内に配置されている請求項３の上記コードの無い手持ち式装置。
【請求項５】
上記コードの無い手持ち式装置において、上記中部カバーの上面に複数のフィンが配置されており、複数の上記フィンは円周方向に並んでいる請求項４の上記コードの無い手持ち式装置。
【請求項６】
上記コードの無い手持ち式装置であって、上記装置構造は電動毛玉トリマーあるいは電動ブラシである請求項１又は請求項２の上記コードの無い手持ち式装置。
【請求項７】
上記コードの無い手持ち式装置であって、上記ハンドルは上部筐体と下部筐体を備え、上記上部筐体と下部筐体は固定的に接続され、上記上部筐体と上記下部筐体との内部に電子基板が配置されており、上記電子基板の上に上記第２の接点、ディスプレイスクリーン及びリチウム電池が配置されており、上記下部筐体の下面の片側にスロットが配置されており、複数の上記第２の接点はすべて上記スロット内に配置されている請求項１又は請求項２の上記コードの無い手持ち式装置。
【請求項８】
上記コードの無い手持ち式装置であって、上記電子基板の上に充電インターフェイスとＵＳＢ出力インターフェイスが配置されている請求項７の上記コードの無い手持ち式装置。
【請求項９】
上記コードの無い手持ち式装置であって、上記スロットの側壁に位置決めリブを有し、上記コネクタの側面に位置決め溝を有し、上記位置決めリブと上記位置決め溝は整合している請求項１の上記コードの無い手持ち式装置。
【請求項１０】
上記コードの無い手持ち式装置であって、上記位置決め溝は上記コネクタの上端から上記コネクタの中部まで延びている請求項９の上記コードの無い手持ち式装置。
【請求項１１】
上記コードの無い手持ち式装置であって、底板カバーを更に備え、上記底板カバーは水滴形を有し、上記底板カバーの形状は上記底板の形状と整合している請求項３の上記コードの無い手持ち式装置。
【発明の詳細な説明】
【技術分野】
【０００１】
本発明は、家庭用機器の技術分野に関し、特にコードの無い手持ち式装置に関する。
【背景技術】
【０００２】
電気アイロン、ダマ（毛玉）トリマー、ブラシなどの手持ち式電気駆動の従来の家庭用製品は、一般にサイズが大きく、重く、使用および持ち運びに不便であり、牽引ライン（電源コード）で駆動する必要があり、消費者の無線化（コードレス）のニーズを満たすことができない。さらに、手持ち式の電気駆動装置において、電気アイロンは電気加熱管によって加熱される構造とされ、電気加熱管は、ダイカストプロセスにより蒸発器の内部に予め埋め込む必要がある。したがって、プロセスが複雑で、操作が不利で、破棄率が高く、材料の制限により、低電圧の直流で使用できる電気加熱管を製造できないため、手持ち式の電気アイロンのコードレスが制限される。また、手持ち式電気駆動の装置のハンドル部分は、通常、その発熱構造に固定的に接続されて、分解できず、持ち運びや収納が困難であるとともに、ハンドル部分は、通常、電源コードに接続され、プラグを挿入して使用する必要があり、使用する距離や場合に制限が生じている。
【０００３】
一方、電気アイロン、毛玉トリマー、ブラシなどの従来の家庭用製品は、機能が単一で、機能を相互に切り換える、あるいは入れ替えることができず、顧客は多種多様な製品を購入する必要がある。
【発明の概要】
【発明が解決しようとする課題】
【０００４】
本発明の目的は、一体化されたコードの無い手持ち式装置を提供することである。
【課題を解決するための手段】
【０００５】
上記目的を達成するために、本発明で採用される技術的解決策は次のとおりである。
【０００６】
一種類のコードの無い手持ち式装置であり、上記コードの無い手持ち式装置は装置構造とハンドルを含み、
上記装置構造は上記ハンドルと磁気吸引構造によって取り外し可能に接続され、上記ハンドル内にリチウム電池が配置され、上記装置構造に駆動機構が配置されている；
上記磁気吸引構造はスロットとコネクタを含み、上記スロットは上記コネクタとマッチング（整合）するように構成されており、上記スロットは上記ハンドルの下面に配置され、上記コネクタは上記装置構造の上面に配置され、上記スロット内に第１の磁気構造が配置され、上記コネクタに第２の磁気構造が配置され、上記第１の磁気構造は上記第２の磁気構造と一致するように構成されている；
上記磁気吸引構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されている。
【０００７】
上記コードの無い手持ち式装置において、上記装置構造が電気アイロンであり、上記駆動機構が発熱構造である；
上記発熱構造は、上部から下部に向かって順に固定配置される上部カバー、中部カバー、プレッシャープレート、セラミック発熱シートと底板を含み、上記上部カバーは円錐形状を有し、上記上部カバーの上端は上方向に延びて上記コネクタを形成し、上記プレッシャープレートの外縁が上記底板に固定的に接続され、上記プレッシャープレートの下面は上記セラミック発熱シートに当接し、上記セラミック発熱シートの下面は上記底板に当接する。
【０００８】
上記コードの無い手持ち式装置において、上記底板の上に底板スロットが配置されており、上記セラミック発熱シートと上記プレッシャープレートは上記底板スロット内に配置されている。
【０００９】
上記コードの無い手持ち式装置において、上記中部カバーの上面に複数のフィンが配置されており、複数の上記フィンは円周方向に並んでいる。
【００１０】
上記コードの無い手持ち式装置において、上記装置構造は電動毛玉トリマーあるいは電動ブラシである。
【００１１】
上記コードの無い手持ち式装置において、上記ハンドルは上部筐体と下部筐体を備え、上記上部筐体と下部筐体は固定的に接続され、上記上部筐体と上記下部筐体との内部に電子基板が配置されており、上記電子基板の上に上記第２の接点、ディスプレイスクリーン及びリチウム電池が配置されており、上記下部筐体の下面の片側にスロットが配置されており、複数の上記第２の接点は全て上記スロット内に配置されている。
【００１２】
上記コードの無い手持ち式装置において、上記電子基板の上に充電インターフェイスとＵＳＢ出力インターフェイスが配置されている。
【００１３】
上記コードの無い手持ち式装置において、上記スロットの側壁に位置決めリブを有し、上記コネクタの側面に位置決め溝を有し、上記位置決めリブと上記位置決め溝は整合している。
【００１４】
上記コードの無い手持ち式装置において、上記位置決め溝は上記コネクタの上端から上記コネクタの中部まで延びている。
【００１５】
上記コードの無い手持ち式装置において、底板カバーを更に備え、上記底板カバーは水滴形を有し、上記底板カバーの形状は上記底板の形状と整合している。
【００１６】
別のコードの無い手持ち式装置において、それは装置構造とハンドルを備え、
上記装置構造と上記ハンドルはロック接続構造によって取り外し可能に接続され、上記ハンドル内にリチウム電池が配置され、上記装置構造に駆動機構が配置されている；
上記ロック接続構造はスロットとコネクタを含み、上記スロットは上記コネクタとマッチングするように構成されており、上記スロットは上記ハンドルの下面に配置され、上記コネクタは上記装置構造の上面に配置され、ここで、上記スロットの下端が内側に延びて第１のブロックを形成し、上記コネクタの上端が外側に延びて第２のブロックを形成し、上記スロットと上記コネクタが上記第１のブロックと上記第２のブロックによりロータリーロックされている；
上記ロック接続構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されている。
【００１７】
上記別のコードの無い手持ち式装置において、上記装置構造が電気アイロンであり、上記駆動機構が発熱構造である；
上記発熱構造は、上部から下部に向かって順に固定配置されている上部カバー、中部カバー、プレッシャープレート、セラミック発熱シートと底板を含み、上記上部カバーは円錐形状を有し、上記上部カバーの上端は上方向に延びて上記コネクタを形成し、上記プレッシャープレートの外縁が上記底板に固定的に接続され、上記プレッシャープレートの下面は上記セラミック発熱シートに当接し、上記セラミック発熱シートの下面は上記底板に当接する。
【００１８】
上記別のコードの無い手持ち式装置において、上記底板の上に底板スロットが配置されており、上記セラミック発熱シートと上記プレッシャープレートは全て上記底板スロット内に配置されている。
【００１９】
上記別のコードの無い手持ち式装置において、上記中部カバーの上面に複数のフィンが配置されており、複数の上記フィンは円周方向に並んでいる。
【００２０】
上記別のコードの無い手持ち式装置において、上記装置構造は電動毛玉トリマーあるいは電動ブラシである。
【００２１】
上記別のコードの無い手持ち式装置において、上記ハンドルは上部筐体と下部筐体を備え、上記上部筐体と下部筐体は固定的に接続され、上記上部筐体と上記下部筐体との内部に電子基板が配置されており、上記電子基板の上に上記第２の接点、ディスプレイスクリーン及びリチウム電池が配置されており、上記下部筐体の下面の片側にスロットが配置されており、複数の上記第２の接点は全て上記スロット内に配置されている。
【００２２】
上記別のコードの無い手持ち式装置において、上記電子基板の上に充電インターフェイスとＵＳＢ出力インターフェイスが配置されている。
【００２３】
上記別のコードの無い手持ち式装置において、底板カバーを更に備え、上記底板カバーは水滴形を有し、上記底板カバーの形状は上記底板の形状と整合している。
【発明の効果】
【００２４】
本発明は、上記技術を採用することにより、従来技術と比較して、積極的な効果を有する：
（１）本発明は、サイズが小さく、軽量で、持ち運びに便利であり、保管スペースが小さく、手持ち式装置のコードレス要件を実現できる。
【００２５】
（２）本発明は、異なる機能を得るために装置構造を迅速かつ便利に交換することができ、ハンドルは、装置構造が使用されていないとき、モバイル電源として単独で使用することができる。
【図面の簡単な説明】
【００２６】
【図１】本発明に係るリチウム電池と電気的に接の第１の実施例の概略図である。
【図２】本発明に係るコードの無い手持ち式装置の第１の実施例の断面図である。
【図３】本発明に係るコードの無い手持ち式装置の第１の実施例の装置構造の分解図である。
【図４】本発明に係るコードの無い手持ち式装置の第１の実施例の概略図である。
【図５】本発明に係るコードの無い手持ち式装置の第１の実施例のハンドルの分解図である。
【図６】本発明に係るコードの無い手持ち式装置の第１の実施例のハンドルの概略図である。
【図７】本発明に係るコードの無い手持ち式装置の第１の実施例の電動ブラシの概略図である。
【図８】本発明に係るコードの無い手持ち式装置の第１の実施例の毛玉トリマーの概略図である。
【図９】本発明に係るコードの無い手持ち式装置の第２の実施例の概略分解図である。
【図１０】本発明に係るコードの無い手持ち式装置の第２の実施例の概略図である。
【図１１】本発明に係るコードの無い手持ち式装置の第２の実施例の断面図である。
【００２７】
付図において、１、装置構造；１１、コネクタ；１１１、位置決め溝；１２、第２の磁気構造；１３、第１の接点；２、ハンドル；２１、スロット；２１１、位置決めリブ；２２、第１の磁気構造；  ２３、第２の接点；３０、上部カバー；３１、中部カバー；３１１、フィン；３２、プレッシャープレート；３３、セラミック発熱シート；３４、底板；４０、上部筐体；４１、下部筐体、４２、電子基板；４３、ディスプレイスクリーン；４４、充電インターフェイス；４５、ＵＳＢ出力インターフェイス；５、底板カバー；６、スロット；６１、第１のブロック；７、コネクタ；７１、第２のブロック。
【発明を実施するための形態】
【００２８】
以下は、付図と具体的な実施例を結合して、本発明をさらに説明するが、本発明を限定するものではない。
【００２９】
第１の実施例
図１は本発明に係るコードの無い手持ち式装置の第１の実施例の概略図であり、図２は本発明に係るコードの無い手持ち式装置の第１の実施例の断面図であり、図３は本発明に係るコードの無い手持ち式装置の第１の実施例の装置構造の分解図であり、図４は本発明に係るコードの無い手持ち式装置の第１の実施例の概略図であり、図５は本発明に係るコードの無い手持ち式装置の第１の実施例のハンドルの分解図であり、図６は本発明に係るコードの無い手持ち式装置の第１の実施例のハンドルの概略図であり、図７は本発明に係るコードの無い手持ち式装置の第１の実施例の電動ブラシの概略図であり、図８は本発明に関わるコードの無い手持ち式装置の第１の実施例の毛玉トリマーの概略図であり、図１から図８は、第１の好ましい実施例のコードの無い手持ち式装置を示し、装置構造１とハンドル２を含み、装置構造１とハンドル２は磁気吸引構造により取り外し可能に接続され、ハンドル２内にリチウム電池が配置されており、装置構造１内に駆動機構が配置されている。
【００３０】
また、一つの好ましい実施例として、磁気吸引構造はスロット２１とコネクタ１１を含み、スロット２１とコネクタ１１は整合しており、スロット２１はハンドル２の下面に配置されており、コネクタ１１は装置構造１の上面に配置されており、このうち、スロット２１内に第１の磁気構造２２が配置されており、コネクタ１１内に第２の磁気構造１２が配置されており、第１の磁気構造２２と第２の磁気構造１２は整合している。
【００３１】
好ましくは、第１の磁気構造２２は磁石であり、第２の磁気構造１２は鉄片であり、あるいは第１の磁気構造２２は鉄片であり、第２の磁気構造１２は磁石であり、あるいは第１の磁気構造２２と第２の磁気構造１２は全て磁石である。第１の磁気構造２２と第２の磁気構造１２は、コードレスアイロンなどの装置の取り外し及び収納に便利な取り外し可能な磁気吸引接続方式を提供する。磁石と鉄片の形状は、磁気吸引接続のときのアライメントを容易化するため、長方形であることが好ましい。
【００３２】
また、一つの好ましい実施例として、磁気構造は第１の接点１３と第２の接点２３をさらに含み、第１の接点１３と第２の接点２３は整合しており、第１の接点１３は駆動機構と電気的に接続され、第２の接点２３はリチウム電池と電気的に接続され、第１の接点１３と第２の接点２３は取り外し可能に電気的に接続される。第１の接点１３と第２の接点２３は、第１の接点１３によりセラミック発熱シート３３が電力を迅速に得て動作状態に入ることができるように、回路を接続する手段を提供する。好ましくは、第１の接点１３の数は４つである。
【００３３】
さらに、一つの好ましい実施例として、装置構造１は電気アイロンであり、駆動機構は発熱構造である。
【００３４】
さらに、一つの好ましい実施例として、発熱構造は上部から下部に向かって順次に固定配置されている上部カバー３０、中部カバー３１、プレッシャープレート３２、セラミック発熱シート３３と底板３４を含み、このうち、上部カバー３０は円錐形状を有し、上部カバー３０の上端は上方向に延びてコネクタ１１を形成し、プレッシャープレート３２の外縁が底板３４に固定的に接続され、プレッシャープレート３２の下面はセラミック発熱シート３３に当接し、セラミック発熱シート３３の下面は底板３４に当接する。底板３４の下面は水滴形をし、底板３４の水滴形構造の外縁は、図３の左側のシャープ部分と図３の右側の円弧部分を含み、シャープ部分は特にシャツやズボンなどの折り目を有する衣類にアイロンをかけるのに適している。
【００３５】
さらに、一つの好ましい実施例として、底板３４の上に底板スロットが配置されており、セラミック発熱シート３３とプレッシャープレート３４は底板スロット内に配置されている。
【００３６】
上記は、本発明の好ましい実施例に過ぎず、本発明の実施形態および範囲を限定することを意図するものではない。
【００３７】
本発明は、上記に基づいて以下の実施形態も有する。
【００３８】
本発明のさらなる実施例において、中部カバー３１の上面には複数のフィン３１１がさらに配置され、複数のフィン３１１は、円周方向に並んでいる。
【００３９】
本発明のさらなる実施例において、装置構造１は図８に示される電動毛玉トリマーあるいは図７に示される電動ブラシであってもよい。複数の機能間の切り替えは、ハンドル２を電気アイロン、電動毛玉トリマーあるいは電動ブラシからすばやく回転させ、挿し抜き交換により実現する。
【００４０】
本発明のさらなる実施例において、ハンドル２は、上部筐体４０と下部筐体４１を含み、上部筐体４０と下部筐体４１は固定的に接続され、上部筐体４０と下部筐体４１の内部に電子基板４２が配置されており、電子基板４２の上に第２の接点２３、ディスプレイスクリーン４３、リチウム電池が配置されており、下部筐体４１の下面の片側にスロット２１が配置されており、複数の第２の接点２３は全てスロット２１内に位置する。
【００４１】
本発明のさらなる実施例において、電子基板４２の上に充電インターフェイス４４とＵＳＢ出力インターフェイス４５がさらに配置されている。ＵＳＢ出力インターフェイス４５は、ハンドル２が発熱構造に協力して使用されない場合に、モバイル電源として単独で使用することを可能とする。
【００４２】
本発明のさらなる実施例において、スロット２１の側壁に位置決めリブ２１１を有し、コネクタ１１の側面に位置決め溝１１１を有し、位置決めリブ２１１と位置決め溝１１１は整合している。
【００４３】
本発明のさらなる実施例において、位置決め溝１１１はコネクタ１１の上端からコネクタ１１の中部まで延びている。
【００４４】
本発明のさらなる実施例において、底板カバー５をさらに含み、底板カバー５は水滴形をし、底板カバー５の形状は底板３４の形状に整合している。底板カバー５は耐熱シリカゲル材質を採用する。収納時に、底板カバー５は底板３４の収納部品として使用され、通常の使用時には、図４に示すように、底板カバー５はアイロンブラケットとして使用でき、アイロンをしばらくかけないときには、底板カバー５にアイロンを放置し、テーブルの面や衣服のやけどを防ぐことができる。
【００４５】
第２の実施例
図９は本発明に係るコードの無い手持ち式装置の第２の実施形態の概略分解図であり、図１０は本発明に係るコードの無い手持ち式装置の第２の実施形態の概略図であり、図１１は本発明に係るコードの無い手持ち式装置の第２の実施例の断面図である。図９から図１１に、第２の好ましい実施例としてのコードの無い手持ち式装置を示している。それは第１の実施例のコードの無い手持ち式装置と似ており、その区別は、装置構造１とハンドル２を備え、装置構造１とハンドル２はロック接続構造により取り外し可能に接続されることにある。さらに、ハンドル２内にリチウム電池が配置されており、装置構造１内に駆動機構が配置されている。
【００４６】
また、一つの好ましい実施例として、ロック接続構造はスロット６とコネクタ７を含み、スロット６とコネクタ７は整合しており、スロット６はハンドル２の下面に配置され、コネクタ７は装置構造１の上面に配置されている。スロット６の下端は内側に延びて第１のブロック６１を形成し、コネクタ７の上端は外側に延びて第２のブロック７１を形成し、スロット６とコネクタ７は第１のブロック６１と第２のブロック７１によりロータリーロックされる。装置構造１を一方向に回転させることにより、第２のブロック７１を２つの第１のブロック６１の隙間に配置させる。このとき、コネクタ７をスロット６に挿入することができる。そして、装置構造１を逆方向に回転させ、第２のブロック７１を第１のブロック６１の上側に位置させることによって、デッドロックされ、装置構造１とハンドル２の固定が実現する。
【００４７】
また、一つの好ましい実施例として、ロック接続構造は第１の接点１３と第２の接点２３をさらに含み、第１の接点１３と第２の接点２３は整合しており、第１の接点１３は駆動機構と電気的に接続され、第２の接点２３はリチウム電池と電気的に接続され、第１の接点１３は第２の接点２３と取り外し可能に電気的に接続される。
【００４８】
上記は、本発明の好ましい実施形態に過ぎず、実施形態の範囲および本発明の範囲を限定することを意図するものではなく、当業者は、本発明の明細書と付図の内容を使用してなされた均等置換と明らかな変化例は、すべて本発明の範囲内に含まれることと意図すべきである。
【図１】
2020131011.tif 000003
【図２】
2020131011.tif 000004
【図３】
2020131011.tif 000005
【図４】
2020131011.tif 000006
【図５】
2020131011.tif 000007
【図６】
2020131011.tif 000008
【図７】
2020131011.tif 000009
【図８】
2020131011.tif 000010
【図９】
2020131011.tif 000011
【図１０】
2020131011.tif 000012
【図１１】
2020131011.tif 000013
【手続補正書】
【提出日】令和1年11月27日(2019.11.27)
【手続補正１】
【補正対象書類名】明細書
【補正対象項目名】全文
【補正方法】変更
【補正の内容】
【発明の詳細な説明】
【技術分野】
【０００１】
本発明は、家庭用機器の技術分野に関し、特にコードの無い手持ち式装置に関する。
【背景技術】
【０００２】
電気アイロン、ダマ（毛玉）トリマー、ブラシなどの手持ち式電気駆動の従来の家庭用製品は、一般にサイズが大きく、重く、使用および持ち運びに不便であり、牽引ライン（電源コード）で駆動する必要があり、消費者の無線化（コードレス）のニーズを満たすことができない。さらに、手持ち式の電気駆動装置において、電気アイロンは電気加熱管によって加熱される構造とされ、電気加熱管は、ダイカストプロセスにより蒸発器の内部に予め埋め込む必要がある。したがって、プロセスが複雑で、操作が不利で、破棄率が高く、材料の制限により、低電圧の直流で使用できる電気加熱管を製造できないため、手持ち式の電気アイロンのコードレスが制限される。また、手持ち式電気駆動の装置のハンドル部分は、通常、その発熱構造に固定的に接続されて、分解できず、持ち運びや収納が困難であるとともに、ハンドル部分は、通常、電源コードに接続され、プラグを挿入して使用する必要があり、使用する距離や場合に制限が生じている。
【０００３】
一方、電気アイロン、毛玉トリマー、ブラシなどの従来の家庭用製品は、機能が単一で、機能を相互に切り換える、あるいは入れ替えることができず、顧客は多種多様な製品を購入する必要がある。
【先行技術文献】
【特許文献】
【０００４】
【特許文献１】中国特許出願公開第１０９１６２０７７号明細書
【特許文献２】中国特許出願公開第１０８７０８１５４号明細書
【特許文献３】中国特許出願公開第１０８９１４５２０号明細書
【発明の概要】
【発明が解決しようとする課題】
【０００５】
本発明の目的は、一体化されたコードの無い手持ち式装置を提供することである。
【課題を解決するための手段】
【０００６】
上記目的を達成するために、本発明で採用される技術的解決策は次のとおりである。
【０００７】
一種類のコードの無い手持ち式装置であり、上記コードの無い手持ち式装置は装置構造とハンドルを含み、
上記装置構造は上記ハンドルと磁気吸引構造によって取り外し可能に接続され、上記ハンドル内にリチウム電池が配置され、上記装置構造に駆動機構が配置されている；
上記磁気吸引構造はスロットとコネクタを含み、上記スロットは上記コネクタとマッチング（整合）するように構成されており、上記スロットは上記ハンドルの下面に配置され、上記コネクタは上記装置構造の上面に配置され、上記スロット内に第１の磁気構造が配置され、上記コネクタに第２の磁気構造が配置され、上記第１の磁気構造は上記第２の磁気構造と一致するように構成されている；
上記磁気吸引構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されている。
【０００８】
上記コードの無い手持ち式装置において、上記装置構造が電気アイロンであり、上記駆動機構が発熱構造である；
上記発熱構造は、上部から下部に向かって順に固定配置される上部カバー、中部カバー、プレッシャープレート、セラミック発熱シートと底板を含み、上記上部カバーは円錐形状を有し、上記上部カバーの上端は上方向に延びて上記コネクタを形成し、上記プレッシャープレートの外縁が上記底板に固定的に接続され、上記プレッシャープレートの下面は上記セラミック発熱シートに当接し、上記セラミック発熱シートの下面は上記底板に当接する。
【０００９】
上記コードの無い手持ち式装置において、上記底板の上に底板スロットが配置されており、上記セラミック発熱シートと上記プレッシャープレートは上記底板スロット内に配置されている。
【００１０】
上記コードの無い手持ち式装置において、上記中部カバーの上面に複数のフィンが配置されており、複数の上記フィンは円周方向に並んでいる。
【００１１】
上記コードの無い手持ち式装置において、上記装置構造は電動毛玉トリマーあるいは電動ブラシである。
【００１２】
上記コードの無い手持ち式装置において、上記ハンドルは上部筐体と下部筐体を備え、上記上部筐体と下部筐体は固定的に接続され、上記上部筐体と上記下部筐体との内部に電子基板が配置されており、上記電子基板の上に上記第２の接点、ディスプレイスクリーン及びリチウム電池が配置されており、上記下部筐体の下面の片側にスロットが配置されており、複数の上記第２の接点は全て上記スロット内に配置されている。
【００１３】
上記コードの無い手持ち式装置において、上記電子基板の上に充電インターフェイスとＵＳＢ出力インターフェイスが配置されている。
【００１４】
上記コードの無い手持ち式装置において、上記スロットの側壁に位置決めリブを有し、上記コネクタの側面に位置決め溝を有し、上記位置決めリブと上記位置決め溝は整合している。
【００１５】
上記コードの無い手持ち式装置において、上記位置決め溝は上記コネクタの上端から上記コネクタの中部まで延びている。
【００１６】
上記コードの無い手持ち式装置において、底板カバーを更に備え、上記底板カバーは水滴形を有し、上記底板カバーの形状は上記底板の形状と整合している。
【００１７】
別のコードの無い手持ち式装置において、それは装置構造とハンドルを備え、
上記装置構造と上記ハンドルはロック接続構造によって取り外し可能に接続され、上記ハンドル内にリチウム電池が配置され、上記装置構造に駆動機構が配置されている；
上記ロック接続構造はスロットとコネクタを含み、上記スロットは上記コネクタとマッチングするように構成されており、上記スロットは上記ハンドルの下面に配置され、上記コネクタは上記装置構造の上面に配置され、ここで、上記スロットの下端が内側に延びて第１のブロックを形成し、上記コネクタの上端が外側に延びて第２のブロックを形成し、上記スロットと上記コネクタが上記第１のブロックと上記第２のブロックによりロータリーロックされている；
上記ロック接続構造は、第１の接点と第２の接点をさらに含み、上記第１の接点と上記第２の接点は整合しており、上記第１の接点は上記駆動機構と電気的に接続され、上記第２の接点はリチウム電池と電気的に接続され、上記第１の接点と上記第２の接点は取り外し可能に電気的に接続されている。
【００１８】
上記別のコードの無い手持ち式装置において、上記装置構造が電気アイロンであり、上記駆動機構が発熱構造である；
上記発熱構造は、上部から下部に向かって順に固定配置されている上部カバー、中部カバー、プレッシャープレート、セラミック発熱シートと底板を含み、上記上部カバーは円錐形状を有し、上記上部カバーの上端は上方向に延びて上記コネクタを形成し、上記プレッシャープレートの外縁が上記底板に固定的に接続され、上記プレッシャープレートの下面は上記セラミック発熱シートに当接し、上記セラミック発熱シートの下面は上記底板に当接する。
【００１９】
上記別のコードの無い手持ち式装置において、上記底板の上に底板スロットが配置されており、上記セラミック発熱シートと上記プレッシャープレートは全て上記底板スロット内に配置されている。
【００２０】
上記別のコードの無い手持ち式装置において、上記中部カバーの上面に複数のフィンが配置されており、複数の上記フィンは円周方向に並んでいる。
【００２１】
上記別のコードの無い手持ち式装置において、上記装置構造は電動毛玉トリマーあるいは電動ブラシである。
【００２２】
上記別のコードの無い手持ち式装置において、上記ハンドルは上部筐体と下部筐体を備え、上記上部筐体と下部筐体は固定的に接続され、上記上部筐体と上記下部筐体との内部に電子基板が配置されており、上記電子基板の上に上記第２の接点、ディスプレイスクリーン及びリチウム電池が配置されており、上記下部筐体の下面の片側にスロットが配置されており、複数の上記第２の接点は全て上記スロット内に配置されている。
【００２３】
上記別のコードの無い手持ち式装置において、上記電子基板の上に充電インターフェイスとＵＳＢ出力インターフェイスが配置されている。
【００２４】
上記別のコードの無い手持ち式装置において、底板カバーを更に備え、上記底板カバーは水滴形を有し、上記底板カバーの形状は上記底板の形状と整合している。
【発明の効果】
【００２５】
本発明は、上記技術を採用することにより、従来技術と比較して、積極的な効果を有する：
（１）本発明は、サイズが小さく、軽量で、持ち運びに便利であり、保管スペースが小さく、手持ち式装置のコードレス要件を実現できる。
【００２６】
（２）本発明は、異なる機能を得るために装置構造を迅速かつ便利に交換することができ、ハンドルは、装置構造が使用されていないとき、モバイル電源として単独で使用することができる。
【図面の簡単な説明】
【００２７】
【図１】本発明に係るリチウム電池と電気的に接の第１の実施例の概略図である。
【図２】本発明に係るコードの無い手持ち式装置の第１の実施例の断面図である。
【図３】本発明に係るコードの無い手持ち式装置の第１の実施例の装置構造の分解図である。
【図４】本発明に係るコードの無い手持ち式装置の第１の実施例の概略図である。
【図５】本発明に係るコードの無い手持ち式装置の第１の実施例のハンドルの分解図である。
【図６】本発明に係るコードの無い手持ち式装置の第１の実施例のハンドルの概略図である。
【図７】本発明に係るコードの無い手持ち式装置の第１の実施例の電動ブラシの概略図である。
【図８】本発明に係るコードの無い手持ち式装置の第１の実施例の毛玉トリマーの概略図である。
【図９】本発明に係るコードの無い手持ち式装置の第２の実施例の概略分解図である。
【図１０】本発明に係るコードの無い手持ち式装置の第２の実施例の概略図である。
【図１１】本発明に係るコードの無い手持ち式装置の第２の実施例の断面図である。
【００２８】
付図において、１、装置構造；１１、コネクタ；１１１、位置決め溝；１２、第２の磁気構造；１３、第１の接点；２、ハンドル；２１、スロット；２１１、位置決めリブ；２２、第１の磁気構造；  ２３、第２の接点；３０、上部カバー；３１、中部カバー；３１１、フィン；３２、プレッシャープレート；３３、セラミック発熱シート；３４、底板；４０、上部筐体；４１、下部筐体、４２、電子基板；４３、ディスプレイスクリーン；４４、充電インターフェイス；４５、ＵＳＢ出力インターフェイス；５、底板カバー；６、スロット；６１、第１のブロック；７、コネクタ；７１、第２のブロック。
【発明を実施するための形態】
【００２９】
以下は、付図と具体的な実施例を結合して、本発明をさらに説明するが、本発明を限定するものではない。
【００３０】
第１の実施例
図１は本発明に係るコードの無い手持ち式装置の第１の実施例の概略図であり、図２は本発明に係るコードの無い手持ち式装置の第１の実施例の断面図であり、図３は本発明に係るコードの無い手持ち式装置の第１の実施例の装置構造の分解図であり、図４は本発明に係るコードの無い手持ち式装置の第１の実施例の概略図であり、図５は本発明に係るコードの無い手持ち式装置の第１の実施例のハンドルの分解図であり、図６は本発明に係るコードの無い手持ち式装置の第１の実施例のハンドルの概略図であり、図７は本発明に係るコードの無い手持ち式装置の第１の実施例の電動ブラシの概略図であり、図８は本発明に関わるコードの無い手持ち式装置の第１の実施例の毛玉トリマーの概略図であり、図１から図８は、第１の好ましい実施例のコードの無い手持ち式装置を示し、装置構造１とハンドル２を含み、装置構造１とハンドル２は磁気吸引構造により取り外し可能に接続され、ハンドル２内にリチウム電池が配置されており、装置構造１内に駆動機構が配置されている。
【００３１】
また、一つの好ましい実施例として、磁気吸引構造はスロット２１とコネクタ１１を含み、スロット２１とコネクタ１１は整合しており、スロット２１はハンドル２の下面に配置されており、コネクタ１１は装置構造１の上面に配置されており、このうち、スロット２１内に第１の磁気構造２２が配置されており、コネクタ１１内に第２の磁気構造１２が配置されており、第１の磁気構造２２と第２の磁気構造１２は整合している。
【００３２】
好ましくは、第１の磁気構造２２は磁石であり、第２の磁気構造１２は鉄片であり、あるいは第１の磁気構造２２は鉄片であり、第２の磁気構造１２は磁石であり、あるいは第１の磁気構造２２と第２の磁気構造１２は全て磁石である。第１の磁気構造２２と第２の磁気構造１２は、コードレスアイロンなどの装置の取り外し及び収納に便利な取り外し可能な磁気吸引接続方式を提供する。磁石と鉄片の形状は、磁気吸引接続のときのアライメントを容易化するため、長方形であることが好ましい。
【００３３】
また、一つの好ましい実施例として、磁気構造は第１の接点１３と第２の接点２３をさらに含み、第１の接点１３と第２の接点２３は整合しており、第１の接点１３は駆動機構と電気的に接続され、第２の接点２３はリチウム電池と電気的に接続され、第１の接点１３と第２の接点２３は取り外し可能に電気的に接続される。第１の接点１３と第２の接点２３は、第１の接点１３によりセラミック発熱シート３３が電力を迅速に得て動作状態に入ることができるように、回路を接続する手段を提供する。好ましくは、第１の接点１３の数は４つである。
【００３４】
さらに、一つの好ましい実施例として、装置構造１は電気アイロンであり、駆動機構は発熱構造である。
【００３５】
さらに、一つの好ましい実施例として、発熱構造は上部から下部に向かって順次に固定配置されている上部カバー３０、中部カバー３１、プレッシャープレート３２、セラミック発熱シート３３と底板３４を含み、このうち、上部カバー３０は円錐形状を有し、上部カバー３０の上端は上方向に延びてコネクタ１１を形成し、プレッシャープレート３２の外縁が底板３４に固定的に接続され、プレッシャープレート３２の下面はセラミック発熱シート３３に当接し、セラミック発熱シート３３の下面は底板３４に当接する。底板３４の下面は水滴形をし、底板３４の水滴形構造の外縁は、図３の左側のシャープ部分と図３の右側の円弧部分を含み、シャープ部分は特にシャツやズボンなどの折り目を有する衣類にアイロンをかけるのに適している。
【００３６】
さらに、一つの好ましい実施例として、底板３４の上に底板スロットが配置されており、セラミック発熱シート３３とプレッシャープレート３４は底板スロット内に配置されている。
【００３７】
上記は、本発明の好ましい実施例に過ぎず、本発明の実施形態および範囲を限定することを意図するものではない。
【００３８】
本発明は、上記に基づいて以下の実施形態も有する。
【００３９】
本発明のさらなる実施例において、中部カバー３１の上面には複数のフィン３１１がさらに配置され、複数のフィン３１１は、円周方向に並んでいる。
【００４０】
本発明のさらなる実施例において、装置構造１は図８に示される電動毛玉トリマーあるいは図７に示される電動ブラシであってもよい。複数の機能間の切り替えは、ハンドル２を電気アイロン、電動毛玉トリマーあるいは電動ブラシからすばやく回転させ、挿し抜き交換により実現する。
【００４１】
本発明のさらなる実施例において、ハンドル２は、上部筐体４０と下部筐体４１を含み、上部筐体４０と下部筐体４１は固定的に接続され、上部筐体４０と下部筐体４１の内部に電子基板４２が配置されており、電子基板４２の上に第２の接点２３、ディスプレイスクリーン４３、リチウム電池が配置されており、下部筐体４１の下面の片側にスロット２１が配置されており、複数の第２の接点２３は全てスロット２１内に位置する。
【００４２】
本発明のさらなる実施例において、電子基板４２の上に充電インターフェイス４４とＵＳＢ出力インターフェイス４５がさらに配置されている。ＵＳＢ出力インターフェイス４５は、ハンドル２が発熱構造に協力して使用されない場合に、モバイル電源として単独で使用することを可能とする。
【００４３】
本発明のさらなる実施例において、スロット２１の側壁に位置決めリブ２１１を有し、コネクタ１１の側面に位置決め溝１１１を有し、位置決めリブ２１１と位置決め溝１１１は整合している。
【００４４】
本発明のさらなる実施例において、位置決め溝１１１はコネクタ１１の上端からコネクタ１１の中部まで延びている。
【００４５】
本発明のさらなる実施例において、底板カバー５をさらに含み、底板カバー５は水滴形をし、底板カバー５の形状は底板３４の形状に整合している。底板カバー５は耐熱シリカゲル材質を採用する。収納時に、底板カバー５は底板３４の収納部品として使用され、通常の使用時には、図４に示すように、底板カバー５はアイロンブラケットとして使用でき、アイロンをしばらくかけないときには、底板カバー５にアイロンを放置し、テーブルの面や衣服のやけどを防ぐことができる。
【００４６】
第２の実施例
図９は本発明に係るコードの無い手持ち式装置の第２の実施形態の概略分解図であり、図１０は本発明に係るコードの無い手持ち式装置の第２の実施形態の概略図であり、図１１は本発明に係るコードの無い手持ち式装置の第２の実施例の断面図である。図９から図１１に、第２の好ましい実施例としてのコードの無い手持ち式装置を示している。それは第１の実施例のコードの無い手持ち式装置と似ており、その区別は、装置構造１とハンドル２を備え、装置構造１とハンドル２はロック接続構造により取り外し可能に接続されることにある。さらに、ハンドル２内にリチウム電池が配置されており、装置構造１内に駆動機構が配置されている。
【００４７】
また、一つの好ましい実施例として、ロック接続構造はスロット６とコネクタ７を含み、スロット６とコネクタ７は整合しており、スロット６はハンドル２の下面に配置され、コネクタ７は装置構造１の上面に配置されている。スロット６の下端は内側に延びて第１のブロック６１を形成し、コネクタ７の上端は外側に延びて第２のブロック７１を形成し、スロット６とコネクタ７は第１のブロック６１と第２のブロック７１によりロータリーロックされる。装置構造１を一方向に回転させることにより、第２のブロック７１を２つの第１のブロック６１の隙間に配置させる。このとき、コネクタ７をスロット６に挿入することができる。そして、装置構造１を逆方向に回転させ、第２のブロック７１を第１のブロック６１の上側に位置させることによって、デッドロックされ、装置構造１とハンドル２の固定が実現する。
【００４８】
また、一つの好ましい実施例として、ロック接続構造は第１の接点１３と第２の接点２３をさらに含み、第１の接点１３と第２の接点２３は整合しており、第１の接点１３は駆動機構と電気的に接続され、第２の接点２３はリチウム電池と電気的に接続され、第１の接点１３は第２の接点２３と取り外し可能に電気的に接続される。
【００４９】
上記は、本発明の好ましい実施形態に過ぎず、実施形態の範囲および本発明の範囲を限定することを意図するものではなく、当業者は、本発明の明細書と付図の内容を使用してなされた均等置換と明らかな変化例は、すべて本発明の範囲内に含まれることと意図すべきである。